(57)【要約】  【課題】  従来の監視カメラ装置は、建物内部の美観を損なわず、しかも、被監視者に監視されているという心理的な圧迫感を与えないように建物内部に同化させているため、カメラの撮像を外部から認識されにくくなっている。そのため防犯上、犯罪抑止効果は、ほとんどない。  【解決手段】  被写体を撮像する撮像部と、上記撮像部の撮像視野を変化させる駆動部と、上記撮像部および上記駆動部を収納する筐体からなる監視カメラ装置において、上記撮像部は、上記撮像部の視野方向に発光する発光素子を具え、上記撮像部の撮像視野の変化に応じて撮像方向を示すように発光するように構成される【選択図】  図１
2005311826.tif 000002
【特許請求の範囲】
【請求項１】
被写体を撮像する撮像部と、上記撮像部の撮像視野を変化させる駆動部と、上記撮像部および上記駆動部を収納する筐体からなり、上記撮像部は、上記撮像部の視野方向に発光する発光素子を具え、上記撮像部の撮像視野の変化に応じて撮像方向を示すように発光することを特徴とする監視カメラ装置。
【請求項２】
請求項１記載の監視カメラ装置において、更に、記憶部を有し、上記記憶部は、少なくとも上記発光素子のＯＮ、ＯＦＦを制御するためのスケジュールテーブルを記憶し、上記スケジュールテーブルに基づいて上記発光素子のＯＮ、ＯＦＦを制御することを特徴とする監視カメラ装置。
【請求項３】
請求項１または請求項２記載の監視カメラ装置において、上記撮像部および上記駆動部を収納する筐体の少なくとも一部は、半透明部材で構成され、上記発光素子が発光する場合の当該監視カメラ装置の動作状態を示す可視光が上記半透明部材を介して放射されることを特徴とする監視カメラ装置。
【請求項４】
複数の監視カメラ装置と、上記複数の監視カメラ装置と伝送路で結合された少なくとも１台の制御端末装置を有し、上記複数の監視カメラ装置の各々は、被写体を撮像する撮像部と、上記撮像部の撮像視野を変化させる駆動部と、上記撮像部および上記駆動部を収納する筐体および上記撮像部の視野方向に発光する発光素子を上記撮像部に具え、上記制御端末装置は、上記複数の監視カメラ装置を制御する制御部と、上記複数の監視カメラ装置に設置された上記発光素子の動作状態を記憶する記憶部と、上記発光素子の動作状態を表示する表示部を具えていることを特徴とする監視カメラシステム。
【発明の詳細な説明】
【技術分野】
【０００１】
本発明は、監視カメラ装置および監視カメラシステムに関し、特に、犯罪防止効果のある監視カメラ装置および監視カメラシステムに関するものである。
【背景技術】
【０００２】
従来の監視カメラの概略構成を図４に示す。図４（ａ）は、ドーム形監視カメラ装置の側面図を示し、図４（ｂ）は、図４（ａ）のドーム形状の筐体を取除いた正面図の概略構成を示す。図４において、４０１は、被写体からの入射光、４０２は、入射光４０１をレンズ系４０３を介して撮像素子、例えば、ＣＣＤ（Charge Coupled Device）に入射させ、被写体を撮像するカメラ部である。４０４は、ドーム形状の筐体であり、ドームカバー４０５が設けられている。このドームカバー４０５は、カメラ部４０２の撮像方向が外部から認識できないようにスモークカバーとなっている。このスモークカバーは、カメラ部４０２が被写体を撮像することは可能であるが、外部から撮像部の存在が認識できない程度の不透明な部材で構成されている。４０６は、電動雲台であり、カメラ部４０２のパン、チルトを制御して視野範囲を調節する働きをする。４０７は、電源供給および映像信号の出力を兼用する同軸ケーブル端子であり、カメラ部４０２および電動雲台４０６を駆動するための電力が供給されるとともに映像信号が出力され、モニタ（図示せず。）上に監視映像を表示するための信号出力端子である。４０８は、カメラ部４０２および電動雲台４０６を遠隔制御するための制御信号の入出力端子である。なお、電動雲台４０６は、例えば、部屋の内部の監視のために部屋の天井等に取り付けられるようになっている。また、電動雲台４０６は、水平方向の駆動部（パン方向）４０９と仰角方向駆動部（チルト方向）４１０とから構成されている。
【０００３】
而して、監視カメラ装置は、公共の建物、銀行の窓口、デパートあるいは店舗等の内部に配置されるため、従来のこの種監視カメラ装置は、できるだけ部屋の美観を損なわないように、また、顧客に監視されているという威圧感をなくす目的で、顧客の目に触れないように隠された場所に設置され、しかも、監視目的に沿うように配置すると言うことで、設置には極めて慎重に行うのが一般的である。
【０００４】
しかしながら最近では、犯罪が増加し、監視カメラ装置の重要性が徐々に認識され、また、犯罪の増加に伴い監視カメラの設置が増加しているけれども、更に、犯罪の減少あるいは犯罪の抑止力となる監視カメラ装置の出現が望まれている。
【０００５】
また、赤外線テレビジョンカメラ（例えば、特許文献１参照）が提案されている。これは、赤外線カメラに赤外線光源を取付け、美観を損なわず、また、被監視者に心理的な圧迫感を与えず監視できる赤外線監視テレビジョンカメラである。
【０００６】
【特許文献１】特開平７−１７７４９５号公報
【発明の開示】
【発明が解決しようとする課題】
【０００７】
従来の監視カメラ装置は、建物内部の美観を損なわず、しかも、被監視者に監視されているという心理的な圧迫感を与えないように建物内部に同化させているため、カメラ装置の設置そのもの、あるいは、カメラの撮像方向が外部から認識されにくくなされている。そのため防犯上、犯罪抑止効果は、ほとんどないという問題がある。
【０００８】
本発明の目的は、犯罪防止効果のある監視カメラ装置および監視カメラシステムを提供することである。
【０００９】
本発明の他の目的は、監視カメラ装置の動作が容易に認識できる監視カメラ装置および監視カメラシステムを提供することである。
【００１０】
本発明の更に他の目的は、監視センタで監視カメラ装置の動作状態を設定できる監視カメラ装置および監視カメラシステムを提供することである。
【課題を解決するための手段】
【００１１】
本発明の監視カメラ装置は、被写体を撮像する撮像部と、上記撮像部の撮像視野を変化させる駆動部と、上記撮像部および上記駆動部を収納する筐体からなり、上記撮像部は、上記撮像部の視野方向に発光する発光素子を具え、上記撮像部の撮像視野の変化に応じて撮像方向を示すように発光するように構成される。
【００１２】
また、本発明の監視カメラ装置において、更に、記憶部を有し、上記記憶部は、少なくとも上記発光素子のＯＮ、ＯＦＦを制御するためのスケジュールテーブルを記憶し、上記スケジュールテーブルに基づいて上記発光素子のＯＮ、ＯＦＦを制御するように構成される。
【００１３】
また、本発明の監視カメラ装置において、上記撮像部および上記駆動部を収納する筐体の少なくとも一部は、半透明部材で構成され、上記発光素子が発光する場合の当該監視カメラ装置の動作状態を示す可視光が上記半透明部材を介して放射されるように構成される。
【００１４】
また、本発明の監視カメラ装置において、上記撮像部は、更に、赤外線発光素子を具え、上記赤外線発光素子が放射する赤外線が上記被写体で反射する赤外線を上記撮像部で検出し、被写体を撮像する場合、上記発光素子を発光させるように構成される。
【００１５】
更に、本発明の監視カメラシステムは、複数の監視カメラ装置と、上記複数の監視カメラ装置と伝送路で結合された少なくとも１台の制御端末装置を有し、上記複数の監視カメラ装置の各々は、被写体を撮像する撮像部と、上記撮像部の撮像視野を変化させる駆動部と、上記撮像部および上記駆動部を収納する筐体および上記撮像部の視野方向に発光する発光素子を上記撮像部に具え、上記制御端末装置は、上記複数の監視カメラ装置を制御する制御部と、上記複数の監視カメラ装置に設置された上記発光素子の動作状態を記憶する記憶部と、上記発光素子の動作状態を表示する表示部を具えている。
【００１６】
また、本発明の監視カメラシステムにおいて、上記制御端末装置に設けられた上記記憶部は、上記発光素子の少なくともＯＮ、ＯＦＦを制御するためのスケジュールテーブルを記憶している。
【００１７】
また、本発明の監視カメラシステムにおいて、上記撮像部は、更に、赤外線発光素子を具え、上記制御端末装置の上記制御部は、上記赤外発光素子および上記発光素子の動作状態を制御するように構成される。
【発明の効果】
【００１８】
以上説明したように本発明によれば監視カメラ装置の動作状況あるいは撮像方向を発光素子により外部から認識でき、犯罪防止効果を高めることは勿論のこと、点灯、消灯を設定する機能により犯罪抑止効果および建家内の家具、調度品との同化を選択できるようにすることにより、違和感あるいは圧迫感のない監視カメラ装置を実現できる。また、監視センタで監視カメラ装置の動作状態を設定できるので、監視カメラシステムとしても優れた効果を発揮するものである。
【発明を実施するための最良の形態】
【００１９】
図１は、本発明の一実施例の概略構成を示す図である。図１において、１０１は、例えば、ＬＥＤ（Light Emitting Diode:発光ダイオード）のような発光素子、１０２は、発光素子１０１から放射される可視光を示す。１０３は、回路基板で、発光素子１０１をマウントすると共に、発光素子１０１を駆動するための駆動回路を構成している。発光素子１０１および回路基板１０３は、カメラ部４０２の筐体にマウントされ、電動雲台４０６の動きに応じて発光素子の発光方向も動くようになされている。１０４は、電動雲台４０６に内蔵された記憶部を示す。なお、記憶部１０４については、後述する。また、図４と同じものには、同じ符号が付されている。発光素子１０１は、本実施例では、ＬＥＤを例示しているが、これに限られるものではなく、レーザー光、その他白熱灯のようなランプにより撮像方向を外部から認識できるもの、または、被写体までは照射されない程度で、外部からその発光を確認できる程度の可視光を出すもの、あるいは被写体に投光して直接的に威嚇効果を行うもの等が使用でき、特に限定されることではない。また、回路基板１０３は、カメラ部４０２に内蔵するように取付けることもできる。更に、図１では、ドームカバー４０５を有するドーム形状の筐体４０４として説明しているが、ドーム形状に限定されるものではない。また、ドームカバーを具えた筐体４０４は、少なくとも一部分は、半透明の樹脂等で構成された筐体で構成することもできる。
【００２０】
さて、図１に示す本発明の一実施例を監視カメラ装置として使用する場合の動作について説明する。まず、カメラ部４０２は、電動雲台４０６の水平方向の駆動部（パン方向）４０９と仰角方向駆動部（チルト方向）４１０を適宜駆動し、カメラ装置４０２の視野内に監視対象物（図示せず。）、例えば、建家の玄関等が入るように位置決めされる。これによって監視対象物がレンズ系４０３を介してカメラ部４０２の撮像素子に撮像される。撮像された映像信号は、同軸ケーブルの出力端子４０７から外部に送信される。
【００２１】
一方、発光素子１０１は、カメラ部４０２の撮像のタイミングに合わせて発光するように制御される。即ち、回路基板１０３に与えられる制御信号により発光素子１０１は、発光し、上述したようにカメラ部４０２の視野の動きに合わせて動くようになっているため、発光素子１０１から放射される放射光は、カメラ部４０２の視野方向に照射されることになる。従って、カメラ部４０２の視野内に位置する人にとっては、カメラ部４０２が現在撮像していることが発光素子１０１の発光により視認することが可能である。なお、発光素子１０１のＯＮ／ＯＦＦは、外部からの通信制御、タイマー制御あるいは画像処理等によって行うこともできるが、スケジュール制御をすることでより効果的な制御が可能である。以下、スケジュール制御について説明する。
【００２２】
記憶部１０４は、例えば、ＲＯＭ（Read Only Memory）等の半導体メモリで構成され、発光素子１０１のＯＮ、ＯＦＦ、点滅等の動作スケジュールを蓄積する記憶装置であり、例えば、表１に示すように時間帯、選択条件、発行素子の状態を前もって設定し、タイムテーブルとして記憶しておき、タイマー等の制御により動作するようにこうせいされている。なお、記憶部１０４は、回路基板１０３に設けることもできるし、後述する外部の監視端末装置に設けることも可能である。
【００２３】
【表１】
2005311826.tif 000003
表１において、例えば、２０：００〜５：００の夜間の人がいない時間帯、あるいは、メンテナンス時は、発光素子１０１をＯＮにすることを示している。これによりカメラ部４０２が動作していることが視認できる。また、５：００〜８：３０、１７：０１〜１９：５９は、昼間の通常撮影時、人が多い時間帯であるので、撮影していることが被監視者に容易に視認できるように発光素子１０１を点滅させることを示している。また、８：３１〜１７：００は、会社等のオフィス時間で、警備員が常駐している時間帯は、警備員が監視しており、犯罪も少ないので、発光素子１０１は、ＯＦＦとしている。これにより省電力化も図れる。更に、警報時、即ち、カメラ装置４０２が異常を検知し、警報を鳴らした時は、発光素子１０１をＯＦＦすることを示している。このように監視カメラ装置の設置場所の状況に応じて発光素子１０１のＯＮ、ＯＦＦ、点滅等の動作スケジュールを適宜設定し、記憶部１０４に記憶させることにより、監視対象範囲での監視カメラ装置の犯罪防止効果を高めることが可能となる。
【００２４】
図２は、本発明の他の一実施例を説明するための概略構成を示す図である。図２において、２０１は、赤外線発光素子で、レンズ系４０３の周辺部に設けられている。なお、図１と同じものには、同じ符号が付されている。この赤外線発光素子２０１は、夜間等の照明がない場所での監視を行うために設けられているもので、例えば、赤外線発光素子２０１から放射される赤外線が侵入物体に照射されると、侵入物体で反射された赤外線がレンズ系４０３を介してカメラ部４０２に入射し、赤外線の像が撮像される。なお、この場合、カメラ部４０２は、赤外線を検知する撮像素子で構成されていることは言うまでもない。このような監視カメラ装置は、一般に暗視カメラ装置として知られているが、暗視カメラ装置は、撮像していることが全く視認できない。従って、この暗視カメラ装置にも発光素子１０１を設け、夜間に侵入してくる侵入者に視認できるように発光素子１０１が点灯するように構成されている。即ち、暗視カメラ装置の駆動に同期して赤外線発光素子２０１を駆動するように構成される。従って、図１に示す実施例の効果と同等の効果があることは言うまでもない。
【００２５】
以上、説明したように発光素子１０１は、カメラ装置４０２の前方に取付けられており、カメラ装置４０２と同様に水平、垂直方向に駆動される。また、カバー４０５は、カメラ装置４０２の撮像方向が外部から認識できないようにスモークカバーとなっているが、発光素子１０１が発光した場合、その発光が外部から認識することができる。更に、カバー４０５がドーム形状であれば、カバーが無い場合、あるいは、透明であっても撮像方向が外部から認識されにくいことは、スモークカバーと同様であり、その場合も発光素子１０１が発光するので、その発光が外部から認識し易くなり、防犯上の効果は大きくなる。
【００２６】
図３は、本発明の更に他の一実施例の概略構成を示すブロック部である。図３において、３０１−１、・・・３０１−ｎは、図１に示されるカメラ装置が複数台、伝送路３０２、例えば、ＬＡＮ（Local Area Network）等でサービスセンタ３０３および監視端末装置３０４に接続されている場合を示している。特に、広範囲の監視を必要とする地域や建物では、数台から数十台の監視カメラ装置３０１（監視カメラ装置を総称する場合は、３０１と称する。）が設置されるのが普通である。なお、複数の監視カメラ装置３０１（図１に示す監視カメラ装置に相当する。）には、記憶部１０４が設けられ、この記憶部１０４には、表１に示すようなスケジュール動作のタイムテーブルがそれぞれインストールされている。勿論、これらのスケジュール動作の内容は、それぞれ監視カメラ装置の設置されている場所、目的等により異なることは勿論である。
【００２７】
サービスセンタ３０３は、監視システムの維持管理を行なうもので、監視カメラ３０１の稼動状況を把握したり、各種設定を行なったり、設定を変更したりするためのＣＰＵ３０５を具えている。ＣＰＵ３０５は、監視カメラ装置３０１−１、・・・３０１−ｎそれぞれの動作状態を把握するためのモニタ３０６および各種設定のための操作器（キーボード、マウス等）３０７を具えている。これらを総称して制御端末装置とも言う。ＣＰＵ３０５は、内部に記憶装置３０８を具えている。この記憶装置３０８には、監視カメラ装置３０１−１、・・・３０１−ｎの有している発光素子１０１の点灯状態が表２に示すテーブルのように記憶される。
【００２８】
【表２】
2005311826.tif 000004
表２は、監視カメラ装置３０１−１、・・・３０１−ｎに対応するカメラＮｏ．とそれぞれの発光素子の動作状態を示している。そして、操作部３０７の操作によりモニタ３０６上に表２に示すテーブルが表示され、監視カメラシステム全体の発光素子の稼動状態が把握されるようになっている。また、この記憶装置３０８には、記憶装置１０４の内容を記憶するように構成することもできる。更に、操作器３０７の指示に基づき、記憶部３０８の内容を監視カメラ装置３０１の記憶部１０４に転送したり、あるいは内容を更新したりするための機能も有している。従って、カメラ装置３０１の記憶装置１０４に記憶されてる表１に示すタイムテーブルと同じものを記憶している。
【００２９】
監視端末装置３０４は、監視カメラ装置３０１−１・・・３０１−ｎから送られてくる監視映像を入手するための複数のＣＰＵ３０９（制御端末装置とも言う。）が設置され、そのモニタ３１０に監視映像が表示されるようになっているが、このモニタ３１０には、各監視カメラ装置３０１の発光素子１０１の動作状態を表２のように表示する機能を有し、監視者が発光素子１０１の動作状態を把握できるように構成されている。操作器３１１は、ＣＰＵ３０９への入力手段であり、監視者がモニタしたい場所に設置されているカメラ装置の監視映像を選択してモニタすることも可能である。また、ＣＰＵ３０９およびモニタ３１０は、必要に応じて複数の監視カメラ装置３０１からの監視映像をマルチ表示する機能も有していることは言うまでもない。なお、図３の実施例では、監視端末装置の中に複数台の制御端末装置が設置されているが、複数の場所に分散して設置することもできる。また、上記実施例では、サービスセンタ３０３および監視端末装置３０４とを分けて説明したが、同一の制御端末装置とすることもできる。
【００３０】
以上、本発明について詳細に説明したが、本発明は、ここに記載された監視カメラ装置や監視カメラシステムに限定されるものではなく、上記以外のカメラ装置およびカメラシステムに広く適応することが出来ることは、言うまでも無い。
【図面の簡単な説明】
【００３１】
【図１】本発明の一実施例の概略構成を示す図である。
【図２】本発明の他の一実施例の概略構成を示す図である。
【図３】本発明の更に他の一実施例の概略構成を示す図である。
【図４】従来のドーム形監視カメラ装置の一例の概略構成を示す図である。
【符号の説明】
【００３２】
１０１：発光素子、１０２：発光光、１０３：回路基板、２０１：赤外線発光素子、３０１：監視カメラ装置、３０２：伝送路、３０３：サービスセンタ、３０４：監視端末装置、３０５、３０９：ＣＰＵ、３０６、３１０：モニタ、３０７、３１１：操作器、３０８、３１２：記憶部、４０１：入射光、４０２：カメラ部、４０３：レンズ系、４０４：筐体、４０５：ドームカバー、４０６：電動雲台、４０７：同軸ケーブル端子、４０８：制御信号端子、４０９：水平方向駆動部、４１０：仰角方向駆動部。
【図１】
2005311826.tif 000005
【図２】
2005311826.tif 000006
【図３】
2005311826.tif 000007
【図４】
2005311826.tif 000008